(57)【要約】【課題】  排ガス用配管内の排ガスの希釈を従来よりも短時間で行うことができ、排ガス用配管の腐食を抑制、更には防止可能な蓄熱式バーナ加熱炉の操業方法を提供する。【解決手段】  燃焼用空気の燃焼空気用配管１０と燃焼後の排ガスの排ガス用配管１１が接続された蓄熱手段１２をそれぞれ設けた複数のバーナ１３を有し、対となるバーナ１３が交互に稼働する蓄熱式バーナ加熱炉の操業方法において、複数のバーナ１３のうち、間引きの対象となる対となるバーナ１３の停止後、このバーナ１３の燃焼空気用配管１０の燃焼空気用切替弁２１と排ガス用配管１１の排ガス用切替弁２９とを開状態とし、燃焼用空気を燃焼空気用配管１０から排ガス用配管１１へ流して排ガスを下流側へ押し流す。【選択図】        図１
2005272995.tif 000002
【特許請求の範囲】
【請求項１】
燃焼用空気を供給する燃焼空気用配管と燃焼後に生じた排ガスを排出する排ガス用配管が接続された蓄熱手段をそれぞれ設けた複数のバーナを有し、対となる前記バーナが交互に稼働する蓄熱式バーナ加熱炉の操業方法において、
複数の前記バーナのうち、間引き運転により間引きの対象となる対となるバーナＡの停止後、該対となるバーナＡの前記燃焼空気用配管の燃焼空気用切替弁と前記排ガス用配管の排ガス用切替弁とを開状態とし、燃焼用空気を前記燃焼空気用配管から前記排ガス用配管へ流して、該排ガス用配管内の排ガスを下流側へ押し流すことを特徴とする蓄熱式バーナ加熱炉の操業方法。
【請求項２】
燃焼用空気を供給する燃焼空気用配管と燃焼後に生じた排ガスを排出する排ガス用配管が接続された蓄熱手段をそれぞれ設けた複数のバーナを複数の区画に分割し、対となる前記バーナが交互に稼働する蓄熱式バーナ加熱炉の操業方法において、
前記区画のうち、消火対象となる区画Ｂ内の全バーナの停止後、該区画Ｂの各バーナの前記燃焼空気用配管の燃焼空気用切替弁、前記区画Ｂの各バーナの排ガス用配管の排ガス用切替弁、前記区画Ｂ内の全バーナの燃焼空気用配管が接続された燃焼空気用供給管の燃焼空気用流量調節弁、及び前記区画Ｂ内の全バーナの排ガス用配管が接続された排ガス用搬送管の排ガス用流量調節弁を開状態にし、燃焼用空気を前記燃焼空気用配管から前記排ガス用配管へ流し、更に前記排ガス用搬送管へ送って、該排ガス用配管内及び該排ガス用搬送管内の排ガスを下流側へ押し流すことを特徴とする蓄熱式バーナ加熱炉の操業方法。
【請求項３】
燃焼用空気を供給する燃焼空気用配管と燃焼後に生じた排ガスを排出する排ガス用配管が接続された蓄熱手段をそれぞれ設けた複数のバーナを複数の区画に分割し、対となる前記バーナが交互に稼働する蓄熱式バーナ加熱炉の操業方法において、
全ての前記バーナの停止後、該全てのバーナの前記燃焼空気用配管の燃焼空気用切替弁、前記排ガス用配管の排ガス用切替弁、前記各区画内の全バーナの燃焼空気用配管が接続された燃焼空気用供給管の燃焼空気用流量調節弁、及び前記各区画内の全バーナの排ガス用配管が接続された排ガス用搬送管の排ガス用流量調節弁を開状態にし、燃焼用空気を前記燃焼空気用供給管から前記排ガス用配管を介して前記排ガス用搬送管に流し、更に煙突に接続される排ガス用本管へ流して、該排ガス用配管内、該排ガス用搬送管内、及び該排ガス本管内の排ガスを下流側へ押し流すことを特徴とする蓄熱式バーナ加熱炉の操業方法。
【請求項４】
請求項１〜３のいずれか１項に記載の蓄熱式バーナ加熱炉の操業方法において、排ガスを押し流した後は、前記燃焼空気用切替弁と前記排ガス用切替弁とを閉状態とし、前記燃焼空気用切替弁を跨いで前記燃焼空気用配管に並列に設けられたバイパス配管を介して、前記排ガス用配管に燃焼用空気を流し、前記蓄熱手段から前記排ガス用配管内に漏出した排ガスを希釈することを特徴とする蓄熱式バーナ加熱炉の操業方法。
【発明の詳細な説明】
【技術分野】
【０００１】
本発明は、蓄熱式バーナ加熱炉の操業方法に係り、更に詳細には、操業に際して発生する排ガスを排出するための排ガス用配管を保護する蓄熱式バーナ加熱炉の操業方法に関する。
【背景技術】
【０００２】
従来、例えば鋼板等の加熱に使用される蓄熱式バーナ加熱炉（以下、単に加熱炉ともいう）は、燃焼用空気（燃焼空気）を供給する燃焼空気用配管と燃焼後に生じた排ガスを排出する排ガス用配管が接続された蓄熱手段がそれぞれ設けられた複数のバーナを有している。この加熱炉の操業は、複数のバーナのうち対となるバーナを交互に稼働させており、燃焼空気用配管から燃焼用空気を供給して一方のバーナの燃焼を行う場合、発生した排ガスを他方の停止中のバーナを介して排ガス用配管から排出している。
なお、複数のバーナは、複数の区画（ゾーン）に分割配置され、加熱炉の操業条件に応じて消火の対象となる区画内のバーナ全てを停止することが可能な構成となっている。ここで、区画内の各バーナの燃焼空気用配管は燃焼空気用供給管に接続され、排ガス用配管は排ガス用搬送管に接続されている。また、各区画の燃焼空気用供給管は燃焼空気用本管に接続され、排ガス用搬送管は排ガス用本管に接続されている。
【０００３】
上記した加熱炉の操業時において、間引き運転により間引きの対象となる対となるバーナを停止させた場合、この停止したバーナの燃焼空気用配管の燃焼空気用切替弁及び排ガス用配管の排ガス用切替弁が閉状態になる。しかし、排ガスを煙道へ誘引するために用いる誘引送風機（ＩＤＦ）は起動しているため、排ガス用切替弁より下流側にある排ガス用配管の２次側部に負圧が作用する。通常は、排ガス用切替弁に約１％程度のリーク（漏出）があるため、その影響で蓄熱手段の排ガスが排ガス用配管に流れ込み、温度が下がると結露し、その程度が激しい場合は腐食につながる。特に、加熱炉に使用する加熱燃料として、例えば、ＣＯＧ（石炭乾留時に生成するコークス炉ガス）等のように、硫黄（Ｓ）分を含むガスを使用した場合、結露によって生成する硫酸により、排ガス用配管などの腐食が発生する。
【０００４】
そこで、例えば、特許文献１には、燃焼空気用配管に設けられた燃焼空気用開閉弁の上流側と、排ガス用配管に設けられた排ガス用開閉弁の上流側との間をバイパス配管で連結した加熱炉が開示されている。しかし、これは、排ガス用開閉弁が高温の排ガスによって焼損することを防止するためのものであり、排ガス用配管の腐食を抑制することは困難である。
また、特許文献２には、炉内ガスの温度を上昇させる方法が開示されている。しかし、これは、排ガスブロワの保護のためだけに行っている方法であるため、やはり排ガス用配管の腐食を抑制することは困難である。
そして、特許文献３には、燃焼空気用配管及び排ガス用配管にそれぞれ設けられた開閉弁の開度を調整する方法が開示されている。しかし、これは、排ガス用配管に設けられた開閉弁が高温の排ガスによって焼損することを防止するためのものであり、排ガス用配管の腐食を抑制することは困難である。
以上のように、いずれの方法においても、排ガス用配管の腐食を抑制することは困難であった。
【０００５】
そこで、図２（Ａ）に示す加熱炉設備７０のように、バーナ７１を設けた蓄熱手段７２に接続された燃焼空気用配管７３に、燃焼空気用切替弁７４を跨いでバイパス配管７５を設け、このバイパス配管７５を介して燃焼空気用切替弁７４の下流側にある燃焼空気用配管７３の２次側部７６に燃焼用空気を供給する方法が提案されている。これにより、供給される燃焼用空気は、燃焼空気用切替弁７４の上流側にある燃焼空気用配管７３の１次側部７７から、バイパス配管７５を介して燃焼空気用配管７３の２次側部７６、排ガス用配管７８の１次側部（上流側部）７９、排ガス用切替弁８０、そして排ガス用配管７８の２次側部（下流側部）８１へ流れ、排ガス用配管７８内の排ガスを希釈できる。
また、図２（Ｂ）に示す加熱炉設備８２のように、燃焼空気用配管７３の１次側部７７と、排ガス用配管７８の２次側部８１との間にバイパス配管８３を設け、このバイパス配管８３を介して排ガス用切替弁８０の２次側部８１に燃焼用空気を供給する方法が提案されている。これにより、供給される燃焼用空気は、排ガス用切替弁８０の下流側へ流れ、排ガスを希釈できる。
このように、排ガス用配管７８内の排ガスを希釈することで、排ガス用配管７８の腐食を抑制できる。
【０００６】
【特許文献１】特開平７−１０３６６８号公報
【特許文献２】特開２００２−１０６８３２号公報
【特許文献３】特開平８−３５６２４号公報
【発明の開示】
【発明が解決しようとする課題】
【０００７】
しかしながら、前記従来の加熱炉の操業方法には、未だ解決すべき以下のような問題があった。
図２（Ａ）に示す方法の場合、排ガス用切替弁８０のリークが少なければ、バイパス配管７５を介して供給された燃焼用空気が、複数のバーナ７１が設置された加熱炉（図示しない）内に、バーナ７１を通って流れ込み、排ガス用切替弁８０の下流側、即ち２次側部８１内の排ガスを希釈できない。なお、２次側部８１内の排ガスをたとえ希釈できたとしても、燃焼用空気の排ガス用配管７８への供給量は僅かであるため、希釈までに長い時間を要する。このため、排ガス用配管７８に腐食が発生する恐れがある。
また、図２（Ｂ）に示す方法の場合、排ガス用切替弁８０の上流側の排ガス用配管７８の１次側部７９内の排ガスを希釈できず、排ガス用配管７８に腐食が発生する。
なお、いずれの方式も、複数の排ガス用配管７８が接続される排ガス用搬送管、及び複数の排ガス用搬送管が接続される排ガス用本管の排ガス希釈には効果がない。このため、排ガス用搬送管及び排ガス用本管にも腐食が発生する恐れがある。
【０００８】
本発明はかかる事情に鑑みてなされたもので、排ガス用配管内の排ガスの希釈を従来よりも短時間で行うことができ、排ガス用配管の腐食を抑制、更には防止可能な蓄熱式バーナ加熱炉の操業方法を提供することを目的とする。
【課題を解決するための手段】
【０００９】
前記目的に沿う請求項１記載の蓄熱式バーナ加熱炉の操業方法は、燃焼用空気を供給する燃焼空気用配管と燃焼後に生じた排ガスを排出する排ガス用配管が接続された蓄熱手段をそれぞれ設けた複数のバーナを有し、対となる前記バーナが交互に稼働する蓄熱式バーナ加熱炉の操業方法において、
複数の前記バーナのうち、間引き運転により間引きの対象となる対となるバーナＡの停止後、該対となるバーナＡの前記燃焼空気用配管の燃焼空気用切替弁と前記排ガス用配管の排ガス用切替弁とを開状態とし、燃焼用空気を前記燃焼空気用配管から前記排ガス用配管へ流して、該排ガス用配管内の排ガスを下流側へ押し流す。
請求項１記載の蓄熱式バーナ加熱炉の操業方法において、間引き運転により間引きの対象となる対となるバーナＡの停止後、この対となるバーナＡの燃焼空気用切替弁と排ガス用切替弁とを開状態にして燃焼空気を流すので、排ガス用配管内から排ガスを容易に押し流すことができる。
【００１０】
前記目的に沿う請求項２記載の蓄熱式バーナ加熱炉の操業方法は、燃焼用空気を供給する燃焼空気用配管と燃焼後に生じた排ガスを排出する排ガス用配管が接続された蓄熱手段をそれぞれ設けた複数のバーナを複数の区画に分割し、対となる前記バーナが交互に稼働する蓄熱式バーナ加熱炉の操業方法において、
前記区画のうち、消火対象となる区画Ｂ内の全バーナの停止後、該区画Ｂの各バーナの前記燃焼空気用配管の燃焼空気用切替弁、前記区画Ｂの各バーナの排ガス用配管の排ガス用切替弁、前記区画Ｂ内の全バーナの燃焼空気用配管が接続された燃焼空気用供給管の燃焼空気用流量調節弁、及び前記区画Ｂ内の全バーナの排ガス用配管が接続された排ガス用搬送管の排ガス用流量調節弁を開状態にし、燃焼用空気を前記燃焼空気用配管から前記排ガス用配管へ流し、更に前記排ガス用搬送管へ送って、該排ガス用配管内及び該排ガス用搬送管内の排ガスを下流側へ押し流す。
請求項２記載の蓄熱式バーナ加熱炉の操業方法において、消火対象となる区画Ｂ内の全バーナの停止後、この各バーナの燃焼空気用切替弁、排ガス用切替弁、燃焼空気用流量調節弁、及び排ガス用流量調節弁を開状態にして燃焼用空気を流すので、排ガス用配管内及び排ガス用搬送管内から排ガスを容易に押し流すことができる。
【００１１】
前記目的に沿う請求項３記載の蓄熱式バーナ加熱炉の操業方法は、燃焼用空気を供給する燃焼空気用配管と燃焼後に生じた排ガスを排出する排ガス用配管が接続された蓄熱手段をそれぞれ設けた複数のバーナを複数の区画に分割し、対となる前記バーナが交互に稼働する蓄熱式バーナ加熱炉の操業方法において、
全ての前記バーナの停止後、該全てのバーナの前記燃焼空気用配管の燃焼空気用切替弁、前記排ガス用配管の排ガス用切替弁、前記各区画内の全バーナの燃焼空気用配管が接続された燃焼空気用供給管の燃焼空気用流量調節弁、及び前記各区画内の全バーナの排ガス用配管が接続された排ガス用搬送管の排ガス用流量調節弁を開状態にし、燃焼用空気を前記燃焼空気用供給管から前記排ガス用配管を介して前記排ガス用搬送管に流し、更に煙突に接続される排ガス用本管へ流して、該排ガス用配管内、該排ガス用搬送管内、及び該排ガス本管内の排ガスを下流側へ押し流す。
請求項３記載の蓄熱式バーナ加熱炉の操業方法において、全てのバーナの停止後、この全てのバーナの燃焼空気用切替弁、排ガス用切替弁、燃焼空気用流量調節弁、及び排ガス用流量調節弁を開状態にして燃焼用空気を流すので、排ガス用配管内、排ガス用搬送管内、及び煙突に接続される排ガス用本管内から排ガスを容易に押し流すことができる。
【００１２】
請求項４記載の蓄熱式バーナ加熱炉の操業方法は、請求項１〜３の蓄熱式バーナ加熱炉の操業方法において、排ガスを押し流した後は、前記燃焼空気用切替弁と前記排ガス用切替弁とを閉状態とし、前記燃焼空気用切替弁を跨いで前記燃焼空気用配管に並列に設けられたバイパス配管を介して、前記排ガス用配管に燃焼用空気を流し、前記蓄熱手段から前記排ガス用配管内に漏出した排ガスを希釈する。
請求項４記載の蓄熱式バーナ加熱炉の操業方法において、バイパス配管を介して排ガス用配管に燃焼用空気を流すので、排ガス除去後の排ガス用切替弁のリークによる排ガス用配管への排ガスの流入を抑制、更には防止できる。
【発明の効果】
【００１３】
請求項１及びこれに従属する請求項４記載の蓄熱式バーナ加熱炉の操業方法は、間引きの対象となる対となるバーナの停止後、燃焼空気用切替弁と排ガス用切替弁とを開状態にして、このバーナの排ガス用配管に燃焼用空気を流すので、従来のバイパス配管を使った排ガス希釈と比較して、排ガス用配管内の排ガスを短時間で完全に排ガス用配管内から下流側へ押し流すことができ、排ガス用配管の腐食を抑制、更には防止できる。
【００１４】
請求項２及びこれに従属する請求項４記載の蓄熱式バーナ加熱炉の操業方法は、対象となる区画内の全バーナの停止後、燃焼空気用切替弁、排ガス用切替弁、燃焼空気用流量調節弁、及び排ガス用流量調節弁を開状態にして、この区画内の各バーナの排ガス用配管及び排ガス用搬送管に燃焼用空気を流すので、これらの管内に排ガスを滞留させることなく、短時間の間に各管内の排ガスを空気に置換でき、例えば、燃料としてＣＯＧ等を使用した場合の排ガスの結露による硫酸腐食を抑制、更には防止することができる。
【００１５】
請求項３及びこれに従属する請求項４記載の蓄熱式バーナ加熱炉の操業方法は、全てのバーナの停止後、燃焼空気用切替弁、排ガス用切替弁、燃焼空気用流量調節弁、及び排ガス用流量調節弁を開状態にして、全てのバーナの排ガス用配管内、排ガス用搬送管内、及び排ガス用本管内に燃焼用空気を流すので、これらの管内に排ガスを滞留させることなく、短時間の間に各管内の排ガスを空気に置換でき、例えば、燃料としてＣＯＧ等を使用した場合の排ガスの結露による硫酸腐食を抑制、更には防止することができる。
【００１６】
特に、請求項４記載の蓄熱式バーナ加熱炉の操業方法は、バイパス配管による排ガス希釈を行うことで、排ガス除去後の排ガス用切替弁のリークにより、排ガス用配管内に侵入した排ガスに対しても腐食対策がとれる。
【発明を実施するための最良の形態】
【００１７】
続いて、添付した図面を参照しつつ、本発明を具体化した実施の形態につき説明し、本発明の理解に供する。
ここで、図１は本発明の一実施の形態に係る蓄熱式バーナ加熱炉の操業方法を適用する加熱炉設備の説明図である。
【００１８】
図１に示すように、本発明の一実施の形態に係る蓄熱式バーナ加熱炉の操業方法は、燃焼用空気（燃焼空気）を供給する燃焼空気用配管１０と燃焼後に生じた排ガスを排出する排ガス用配管１１が接続された蓄熱手段１２をそれぞれ設けた複数のバーナ１３を有し、対となるバーナ１３が交互に稼働する蓄熱式バーナ加熱炉（図示しない）の操業方法である。なお、加熱炉設備１４が、上記した蓄熱式バーナ加熱炉、複数のバーナ１３、各バーナ１３の蓄熱手段１２、排ガス用配管１１、及び燃焼空気用配管１０を有している。
【００１９】
図１に示すように、加熱炉設備１４において、燃焼空気用配管１０と排ガス用配管１１は、燃焼空気用配管１０の下流側部と排ガス用配管１１の上流側部が、燃焼用空気及び排ガスのいずれも流すことが可能な共有管部１５となって、蓄熱手段１２に接続されている。
蓄熱手段１２は、燃焼空気用配管１０及び排ガス用配管１１の共有管部１５が接続される蓄熱室１６と、この蓄熱室１６内に充填され、排ガスの顕熱によって加熱される蓄熱体１７とを有している。この蓄熱手段１２の蓄熱室１６の加熱炉側には、バーナ１３が一体的に配置されている。
【００２０】
蓄熱式バーナ加熱炉に設けられた複数のバーナ１３は、複数の区画（ゾーン）毎に分割されている。
区画内に配置された各バーナ１３の燃焼空気用配管１０は、区画内のゾーンヘッダー管１８を介して燃焼空気用供給管１９に接続され、この各区画毎に設けられた燃焼空気用供給管１９が燃焼空気用本管２０にそれぞれ接続されている。この燃焼空気用本管２０の上流側には、燃焼空気用本管２０に燃焼用空気を供給するための燃焼空気用ファンが配置されている。
【００２１】
なお、各燃焼空気用配管１０には、バーナ１３への燃焼用空気の供給及び停止を行う燃焼空気用切替弁２１と、この燃焼空気用切替弁２１を跨いで燃焼空気用配管１０に並列に設けられたバイパス配管２２が設けられている。このバイパス配管２２の途中には、バイパス配管用開閉弁２３が設けられている。また、燃焼空気用供給管１９には、上流側から下流側へかけて、管内の流量を測定するためのオリフィス２４と、流量を調節する燃焼空気用流量調節弁２５が順次設けられている。
【００２２】
また、区画内に配置された各バーナ１３の排ガス用配管１１は、区画内のゾーンヘッダー管２６を介して排ガス用搬送管２７に接続され、この各区画毎に設けられた排ガス用搬送管２７が排ガス用本管２８にそれぞれ接続されている。この排ガス用本管２８の下流側には、排ガス用本管２８から排ガスを排出するための誘引送風機（ＩＤＦ）と、所定の処理を行った後の排ガスを大気へ放散するための煙突（図示せず）とが設けられている。
なお、各排ガス用配管１１には、蓄熱室１６内で発生する排ガスの排出及び停止を行う排ガス用切替弁２９が設けられている。また、排ガス用搬送管２７には、上流側から下流側へかけて、管内の流量を測定するためのオリフィス３０と、流量を調節する排ガス用流量調節弁３１が順次設けられている。
【００２３】
これにより、対となるバーナ１３の一方のバーナ１３による燃焼時においては、燃焼空気用ファンによって燃焼空気用本管２０へ流入した燃焼用空気を、燃焼空気用供給管１９及び燃焼空気用配管１０を介し、蓄熱体１７を通過させてバーナ１３へ供給する。このとき、燃焼空気用切替弁２１は開状態、排ガス用切替弁２９は閉状態となっている。
一方、対となるバーナ１３の他方の停止時のバーナ１３では、誘引送風機によって蓄熱室１６内の排ガスを、排ガス用配管１１及び排ガス搬送管２７を介して排ガス用本管２８へ搬送し、煙突から大気へ放散する。このとき、排ガス用切替弁２９は開状態、燃焼空気用切替弁２１は閉状態となっている。
【００２４】
なお、前記した燃焼空気用切替弁２１、排ガス用切替弁２９、燃焼空気用流量調節弁２５、排ガス用流量調節弁３１、及び各オリフィス２４、３０は、それぞれ制御部（図示せず）に接続されている。
これにより、各オリフィス２４、３０で得られる燃焼用空気及び排ガスの流量に基づいて、制御部により各弁を動作させることで、間引きの対象となる特定の対となるバーナ１３の停止（間引き運転）、操業条件に対応する特定の区画内の全てのバーナ１３の停止、又は蓄熱式バーナ加熱炉の操業停止時における全区画内の全てのバーナ１３の停止等を行うことが可能となる。
【００２５】
本発明の一実施の形態に係る蓄熱式バーナ加熱炉の操業方法について、前記した加熱炉設備１４を使用し、図１を参照しながら説明する。
バーナ１３の燃焼時は、排ガス用切替弁２９及び排ガス用流量調節弁３１を、制御部により閉状態とし、燃焼空気用切替弁２１を制御部により開状態、及び燃焼空気用流量調節弁２５を制御部により規定開度まで開くことで、バーナ１３に燃焼用空気が供給される。このとき、燃焼空気用ファン及び誘引送風機は作動している。
なお、対となるバーナ１３は交互に稼働するため、排ガス用配管１１内、排ガス用搬送管２７内、及び排ガス用本管２８内に排ガスが充満している。
【００２６】
まず、蓄熱式バーナ加熱炉の間引き運転について説明する。
この運転としては、例えば、作業者が故意に一対以上のバーナの燃焼を停止する固定間引き、バーナへの吸引前の排ガス温度が基準値以上に上昇又は各切替弁の動作が異常となったときに対象となる一対のバーナの切替燃焼が停止する異常間引き等がある。
蓄熱式バーナ加熱炉の間引き運転時においては、間引きの対象となる対となるバーナ（バーナＡ）１３の燃焼を停止した後、燃焼空気用切替弁２１及び排ガス用切替弁２９を制御部により開状態にする。このとき、燃焼空気用流量調節弁２５及び排ガス用流量調節弁３１は、制御を維持する。
【００２７】
そして、燃焼空気用本管２０から供給される燃焼用空気を、燃焼空気用供給管１９及び燃焼空気用配管１０を介して排ガス用配管１１へ流し、この排ガス用配管１１内の排ガスを下流側へ押し流す。なお、燃焼用空気の供給量は排ガス用配管１１の内容積に基づき、燃焼用空気の流量と供給時間から、計算により求めることができる。
【００２８】
これにより、排ガス用配管１１内の排ガスを、短時間の間に燃焼用空気に置換できるので、従来問題となっていた排ガスの結露による排ガス用配管１１等の腐食を抑制、更には防止でき、排ガス用配管１１の寿命を延ばすことができる。また、燃焼用空気による排ガスの押し流しと同時に、燃焼用空気が蓄熱室１６内の蓄熱体１７を通過することで、排ガス用切替弁２９のリーク等で高温となった蓄熱体１７を冷却できる。
【００２９】
排ガスを下流側へ押し流し、排ガス用配管１１内に燃焼用空気を充満させた後は、バイパス配管用開閉弁２３を制御部により開状態とし、燃焼空気用切替弁２１及び排ガス用切替弁２９を、制御部により閉状態にする。
これにより、排ガス用配管１１の排ガス用切替弁２９より上流側に燃焼用空気を流し、蓄熱室１６内から排ガス用配管１１内に漏出する排ガスを希釈できる。
【００３０】
次に、消火の対象となる区画（区画Ｂ）内の全てのバーナ１３の停止時について説明する。
この停止条件としては、例えば、加熱条件等に応じて作業者が故意に区画内の全てのバーナを消火する場合等がある。
対象となる区画内の全てのバーナ１３の停止時においては、区画内の全てのバーナ１３による燃焼を停止した後、この区画内の全てのバーナ１３の燃焼空気用切替弁２１及び排ガス用切替弁２９を制御部により開状態にし、燃焼空気用流量調節弁２５及び排ガス用流量調節弁３１を、制御部により規定開度まで開く。
【００３１】
そして、燃焼空気用本管２０から供給される燃焼用空気を、燃焼空気用供給管１９及び燃焼空気用配管１０を介して排ガス用配管１１及び排ガス用搬送管２７へ流し、この排ガス用配管１１内及び排ガス用搬送管２７内の排ガスを下流側へ押し流す。なお、燃焼用空気の供給量は排ガス用配管１１及び排ガス用搬送管２７の内容積に基づき、燃焼用空気の流量と供給時間から、計算により求めることができる。
これにより、排ガス用配管１１内及び排ガス用搬送管２７内の排ガスを燃焼用空気に置換できるので、各管の腐食を抑制、更には防止でき、排ガス用配管１１及び排ガス用搬送管２７の寿命を延ばすことができる。なお、排ガスを下流側へ押し流し、排ガス用配管１１内及び排ガス用搬送管２７内に燃焼用空気を充満させた後は、バイパス配管用開閉弁２３を開状態とし、燃焼空気用切替弁２１、排ガス用切替弁２９、燃焼空気用流量調節弁２５、及び排ガス用流量調節弁３１を、制御部により閉状態にする。これにより、蓄熱室１６内から排ガス用配管１１内に漏出する排ガスを希釈する。
【００３２】
続いて、蓄熱式バーナ加熱炉の全てのバーナ１３の停止時について説明する。
この停止条件としては、例えば、蓄熱式バーナ加熱炉の操業停止時、操業条件による全てのバーナ１３の停止等がある。
蓄熱式バーナ加熱炉の全てのバーナ１３の停止時においては、全てのバーナ１３による燃焼を停止した後、全てのバーナ１３の燃焼空気用切替弁２１及び排ガス用切替弁２９を制御部により開状態にし、燃焼空気用流量調節弁２５及び排ガス用流量調節弁３１を、制御部により規定開度まで開く。
【００３３】
そして、燃焼空気用本管２０から供給される燃焼用空気を、燃焼空気用供給管１９及び燃焼空気用配管１０を介して、排ガス用配管１１、排ガス用搬送管２７、及び排ガス用本管２８へ流し、この排ガス用配管１１内、排ガス用搬送管２７内、及び排ガス用本管２８内の排ガスを下流側へ押し流す。なお、燃焼用空気の供給量は排ガス用配管１１、排ガス用搬送管２７、排ガス用本管２８の内容積に基づき、燃焼用空気の流量と供給時間から、計算により求めることができる。
【００３４】
これにより、排ガス用配管１１内、排ガス用搬送管２７内、及び排ガス用本管２８内の排ガスを燃焼用空気に置換できるので、各管の腐食を抑制、更には防止でき、排ガス用配管１１、排ガス用搬送管２７、及び排ガス用本管２８の寿命を延ばすことができる。なお、排ガスを下流側へ押し流し、排ガス用配管１１内、排ガス用搬送管２７内、及び排ガス用本管２８に燃焼用空気を充満させた後は、バイパス配管２２を使用し、前記した手順と同様の手順に従って、蓄熱室１６内から排ガス用配管１１内に漏出する排ガスを希釈する。
【００３５】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の蓄熱式バーナ加熱炉の操業方法を構成する場合も本発明の権利範囲に含まれる。
【図面の簡単な説明】
【００３６】
【図１】本発明の一実施の形態に係る蓄熱式バーナ加熱炉の操業方法を適用する加熱炉設備の説明図である。
【図２】（Ａ）、（Ｂ）はそれぞれ従来例に係る蓄熱式バーナ加熱炉の操業方法を適用する加熱炉設備の説明図である。
【符号の説明】
【００３７】
１０：燃焼空気用配管、１１：排ガス用配管、１２：蓄熱手段、１３：バーナ、１４：加熱炉設備、１５：共有管部、１６：蓄熱室、１７：蓄熱体、１８：ゾーンヘッダー管、１９：燃焼空気用供給管、２０：燃焼空気用本管、２１：燃焼空気用切替弁、２２：バイパス配管、２３：バイパス配管用開閉弁、２４：オリフィス、２５：燃焼空気用流量調節弁、２６：ゾーンヘッダー管、２７：排ガス用搬送管、２８：排ガス用本管、２９：排ガス用切替弁、３０：オリフィス、３１：排ガス用流量調節弁
【図１】
2005272995.tif 000003
【図２】
2005272995.tif 000004